(57)【要約】【課題】Ｘ線画像の画質を担保しつつ、患者の寝台への載せ替え効率の向上を可能とするストレッチャーを提供すること。【解決手段】ストレッチャー１は台車２を有する。天板４は台車２の上部に配置される。天板支持機構３は天板４をスライド可能に支持する。圧力センサ８は天板４にかかる圧力を感知する。退避部１０は圧力の変化を契機として、天板支持機構３を介して、台車２の上部に設けられた初期位置から外れた天板４を初期位置にスライドさせる。【選択図】図１
2015130925.tif 000002
【特許請求の範囲】
【請求項１】
台車と、
前記台車の上部に配置された天板と、
前記天板をスライド可能に支持する支持機構と、
前記天板にかかる圧力を感知する感知部と、
前記圧力の変化を契機として、前記支持機構を介して、前記台車の上部に設けられた初期位置から外れた前記天板を前記初期位置にスライドさせる移動部と、
を具備するストレッチャー。
【請求項２】
前記移動部は、制御部と、移動機構駆動部と、移動機構とを有し、
前記制御部は前記圧力の変化を契機として前記移動機構駆動部を駆動させ、
前記移動機構駆動部は前記制御部からの指示に従って前記移動機構に動力を供給し、
前記移動機構は前記台車の上部に設けられた初期位置から外れた前記天板を前記初期位置にスライドさせる、請求項１記載のストレッチャー。
【請求項３】
前記天板を前記初期位置に機械的に固定する天板固定機構と、
前記台車に押下自在に配置されたボタンと、をさらに備え、
前記天板固定機構は、前記ボタンの押下に連動して前記天板の前記初期位置への固定を解除する、請求項２記載のストレッチャー。
【請求項４】
前記ボタンは、前記天板に載置された被検体の移動先の寝台の所定部分に接触可能な位置に配置される、請求項３記載のストレッチャー。
【請求項５】
前記台車の高さを調節する調節機構をさらに備える、請求項１記載のストレッチャー。
【請求項６】
前記天板は、前記天板の長軸方向に分割された第１天板と第２天板とを有し、
前記支持機構は、前記第１天板を短軸方向に移動自在に支持する第１支持機構と、前記第２天板を短軸方向に移動自在に支持する第２支持機構とを有する、請求項１記載のストレッチャー。
【請求項７】
前記移動部は、前記台車の上部に設けられた初期位置から外れた前記第１天板と前記第２天板とを、それぞれ個別に前記初期位置にスライドさせる、請求項６記載のストレッチャー。
【請求項８】
前記天板は、被検体が載置される背板と、前記背板を分離可能に支持するフレームと、を有する、請求項１記載のストレッチャー。
【請求項９】
前記フレームは、前記支持機構によりスライド可能に支持され、
前記フレームは、
前記背板の対向する２辺を分離可能に支持する支持部と、
車輪と、
前記支持部に対して車輪を弾性的に支持する弾性体と、
前記弾性体による車輪の変動を固定するロック機構と、を有する、請求項８記載のストレッチャー。
【請求項１０】
被検体が載置される天板と、
前記天板を分離可能に支持する支持機構と、
前記支持機構に取り付けられた複数の車輪と、を具備するストレッチャーであって、
前記支持機構は、
前記複数の車輪が設けられた複数の立脚フレームと、
前記複数の立脚フレームに接続され、前記天板を分離可能に支持する接続フレームと、を有し、
前記接続フレームは、前記天板の裏面が少なくとも一方の端部に亘って露出可能に前記天板を支持する、
ことを特徴とするストレッチャー。
【発明の詳細な説明】
【技術分野】
【０００１】
本発明の実施形態は、ストレッチャーに関する。
【背景技術】
【０００２】
近年、医用診断分野において、Ｘ線を用いたシンチレーションカメラやコンピュータ断層撮影装置（Ｃｏｍｐｕｔｅｄ  Ｔｏｍｏｇｒａｐｈｙ：ＣＴ）、核磁気共鳴画像装置（Ｍａｇｎｅｔｉｃ  Ｒｅｓｏｎａｎｃｅ  Ｉｍａｇｉｎｇ：ＭＲＩ）等の医用診断装置が多く利用されている。これらの装置には、例えば患者を乗せる寝台を備えるものがある。この寝台により、患者を検査ユニット内に移動させ、検査を行う。
【０００３】
医用診断装置の寝台に患者を載せる際、ストレッチャーが用いられる。ストレッチャーは、患者を寝台に搬送するために用いられる車輪付きのベッドである。ストレッチャーに載せられた患者を寝台に降ろす際、例えば、病院スタッフは、患者を載せたストレッチャーを寝台に横付けし、３〜４人で患者もしくは患者の下に敷かれた布ごと患者を抱えて持ち上げ、水平に移動して寝台の上に降ろす。この作業は、複数の人員を必要とする上、患者及び病院スタッフ双方にとって肉体的な負担が大きい。
【０００４】
近年、ストレッチャー本体から天板を分離可能にすることにより、天板に載せられた患者を天板ごと寝台に載せ替えるストレッチャーがある。例えば、天板に車輪が付いたストレッチャーがある。当該ストレッチャーに載せられた患者を寝台に移動させる際、病院スタッフは、患者を載せたストレッチャーを寝台に横付けし、天板のストレッチャー本体への固定を解除する。病院スタッフは、車輪付き天板を転がすことにより、天板をストレッチャーから外し、患者を載せた天板をストレッチャーから寝台に移動させる。
【０００５】
しかし、このストレッチャーは、装置の構成や手技によっては、天板そのものや天板を支えるフレーム、または天板を移動するためのスライドレールなどの構造物をＸ線撮影の視野外に設置することができない。そのため、当該構造物がＸ線撮影の視野内に入ったまま、Ｘ線撮影が行われ当該構造物がＸ線画像に描出されてしまう。
【先行技術文献】
【特許文献】
【０００６】
【特許文献１】特開平１１−１９７１９７
【特許文献２】特開２００８−２８９８５４
【発明の概要】
【発明が解決しようとする課題】
【０００７】
目的は、Ｘ線画像の画質を担保しつつ、患者の寝台への載せ替え効率の向上を可能とするストレッチャーを提供することにある。
【課題を解決するための手段】
【０００８】
本実施形態に係るストレッチャーは、台車と、前記台車の上部に配置された天板と、前記天板をスライド可能に支持する支持機構と、前記天板にかかる圧力を感知する感知部と、前記圧力の変化を契機として、前記支持機構を介して、前記台車の上部に設けられた初期位置から外れた前記天板を前記初期位置にスライドさせる移動部と、を具備する。
【図面の簡単な説明】
【０００９】
【図１】第１実施形態に係るストレッチャーの外観図。
【図２】天板支持機構が装備する天板の引き出し構造を説明するための図。
【図３】第１実施形態に係るストレッチャーの構成を示す図。
【図４】モーターとワイヤーと巻き取り枠とにより天板を移動させる動作例を説明するための図。
【図５】操作者が図１の天板を引き出す動作例を説明するための図。
【図６】図１の天板が引き出されたストレッチャーの外観図。
【図７】本実施形態に係るストレッチャーにより患者を寝台に降ろす動作例を説明するための図。
【図８】変形例１に係るストレッチャーの外観図。
【図９】変形例１に係るストレッチャーにより患者の半身を寝台に降ろす動作例を説明するための図。
【図１０】変形例２に係る天板の外観図。
【図１１】図１０のフレームの車輪周辺の拡大断面図。
【図１２】図１１のロック機構による軸受けの固定が解除された状態を説明するための図。
【図１３】第２実施形態に係るストレッチャーの外観図。
【図１４】天板がストレッチャー本体から分離する動作例を説明するための図。
【発明を実施するための形態】
【００１０】
以下、図面を参照しながら実施形態に係るストレッチャーを説明する。なお、以下の説明において、略同一の機能及び構成を有する構成要素については、同一符号を付し、重複説明は必要な場合にのみ行う。
【００１１】
（第１実施形態）
図１は、第１実施形態に係るストレッチャー１の外観図である。ストレッチャー１は、患者Ｐを医用診断装置の寝台に搬送するために用いられる車輪付きのベッドである。本実施形態では、患者Ｐを仰臥状態のまま搬送可能なストレッチャー１について説明する。
【００１２】
ストレッチャー１は、台車２を有する。台車２は、下部に複数の車輪を有する。台車２の上部には天板支持機構３が設けられる。天板支持機構３は、天板４をスライド可能に支持する。ここで、天板４が初期位置に固定されているときの天板４の短軸方向をｘ軸方向と定義する。天板４が初期位置に固定されているときの天板４の長軸方向をｙ軸方向と定義する。ｘ−ｙ平面に垂直な方向をｚ軸方向と定義する。
【００１３】
天板４は、図１に示すｘ軸方向に水平移動可能に天板支持機構３に支持されている。天板４には、患者Ｐが載置される。天板４は、寝台の上部における移動を円滑にするための車輪５を有する。具体的には、天板支持機構３は、天板４をｘ軸方向に往復移動可能な引き出し構造を装備する。
【００１４】
図２は、天板支持機構３が装備する天板４の引き出し構造を説明するための図である。天板支持機構３は、支持台３−１とｘ軸方向に延びたスライドレール３−２を有する。支持台３−１は、台車２の上部に設けられている。支持台３−１の上部には、スライドレール３−２が設けられている。スライドレール３−２は、支持台３−１の上面（天板４側の面）に設置される。天板４は、スライドレール３−２に係り合う車輪４−１を有する。スライドレール３−２に沿って車輪４−１が転がることによって、天板４は、スライドレール３−２に沿って引き出される。また、天板４は、スライドレール３−２から脱落しないよう設計される。例えば、スライドレール３−２は図２に示すように鉤形状を有し、車輪４−１が鉤形状のスライドレール３−２に係り合うことで、天板４がスライドレール３−２からｙ軸方向に脱落することを防ぐ。また、スライドレール３−２のｘ軸方向における終端には、車輪４−１がスライドレール３−２からｘ軸方向に脱落を防ぐための留め具（図示せず）が取り付けられている。なお、天板４は、ｙ軸方向に水平移動可能に天板支持機構３に支持されても良い。
【００１５】
図１に示すように、台車２には、天板固定機構６が設けられている。天板固定機構６は、天板４を初期位置に機械的に固定する。天板固定機構６は、例えば、金属やプラスチックなどの素材を有する。天板固定機構６は、具体的には、天板４の一部分（例えば、車輪４−１）を係り止めることにより、天板４を初期位置に機械的に固定する。初期位置は、天板支持機構３が収納された場合の天板４の位置である。天板固定機構６による固定を解除することにより、天板４は初期位置から移動可能になる。
【００１６】
台車２には、ボタン７が設けられている。ボタン７は、台車２の側部に押下自在に配置される。ボタン７は、寝台に接触可能な位置に配置されるとよい。ボタン７の押下に連動して、天板固定機構６は、天板４の初期位置への固定を解除する。具体的には、ストレッチャー１を寝台に横付けした後、ボタン７を寝台に押しつけることにより、天板固定機構６は、天板４の初期位置への固定を解除する。なお、ボタン７は、操作者により手動で押下されてもよい。ボタン７は、台車２の側部ではなく他の部分に設置されてもよい。
【００１７】
図１に示すように、天板４には、圧力センサ８が設けられる。圧力センサ８は、天板４にかかる圧力を感知する。具体的には、圧力センサ８は、天板４に載置された患者Ｐが天板４に与える圧力を感知する。
【００１８】
なお、台車２には、台車２の高さを調節するための調節機構９が設けられても良い。操作者は、患者Ｐをベッドなどからストレッチャー１に載せる前に、調節機構９を操作し台車２の高さを寝台の高さに応じて調節する。
【００１９】
図３は、第１実施形態に係るストレッチャー１の構成を示す図である。
【００２０】
上述のように、ストレッチャー１は、台車２を有する。台車２の上部には、天板支持機構３が設けられる。圧力の感知により圧力センサ８から発生される圧力信号は、退避部１０に供給される。天板支持機構３の上部には天板４が設けられる。天板４には、圧力センサ８が設けられる。退避部１０は、圧力センサ８が感知した天板４にかかる圧力の変化を契機として、天板支持機構３を介して、台車２の上部に設けられた初期位置から外れた天板４を初期位置にスライドさせる。例えば、退避部１０は、制御部１１と退避機構駆動部１２と退避機構１３とを有する。制御部１１は、例えば、台車２の内部に設けられている。制御部１１は、圧力センサ８が感知した天板４にかかる圧力の変化を契機として、退避機構駆動部１２を作動させる。退避機構駆動部１２は、制御部１１からの指示に従って、退避機構１３を駆動するための動力を発生する。退避機構駆動部１２は、例えば、モーターなどによって実現される。退避機構１３は、モーター１２により発生された動力を受けて、天板４を初期位置にスライドさせるための機構である。退避機構１３は、例えば、ワイヤー或いはワイヤーロープと巻き取り枠とにより実現される。図４は、モーター１２とワイヤー１３−１と巻き取り枠１３−２とにより天板４を移動させる動作例を説明するための図である。ワイヤー１３−１の一端は、天板４に接続される。ワイヤー１３−１の他端は巻き取り枠１３−２に接続される。巻き取り枠１３−２は、モーター１２の回転軸に接続される。モーター１２の回転軸の回転により巻き取り枠１３−２が回転し、巻き取り枠１３−２がワイヤー１３−１を巻き取る。すなわち、モーター１２の動力により、初期位置から引き出された天板４は、スライドレール３−２に沿って初期位置にスライドされる。また、天板４の引き出し操作について説明する。操作者により天板４が引き出されることにより、ワイヤー１３−１が巻き取り枠１３−２から引っ張り出される。なお、退避機構１３は、ラチェットとばねによって構成されても良い。この場合、制御部１１は、圧力センサ８が感知した天板４にかかる圧力の変化を契機として、伸びたばねを固定するラチェットを作動させばねを縮めることにより、初期位置から引き出された天板４を初期位置にスライドさせる。
【００２１】
以下、第１実施形態における一連の動作例を説明する。図５は、操作者が図１の天板４を引き出す動作例を説明するための図である。状態Ａは、ストレッチャー１に患者Ｐが載せられた状態である。状態Ａのとき、天板４は初期位置にある。まず操作者は、状態Ａにあるストレッチャー１を移動させ、寝台に横付けする。横付けにより、ボタン７が押下される。ボタン７が寝台に押しつけられたことを契機に、天板固定機構６は、天板４の初期位置への固定を解除する。操作者は、天板４を寝台の上部まで引き出す（状態Ｂ）。図６は、図１の天板が引き出されたストレッチャーの外観図である。図６は、状態Ｂを異なる角度から示す図である。天板４は操作者によって引き出され、寝台の上部にある。なお、天板４を寝台の上部に引き出す際、天板４に付いた車輪４−１が寝台の上を転がることにより、引き出された天板４にかかる負荷を軽減する。
【００２２】
図７は、第１実施形態に係るストレッチャー１により患者Ｐを寝台に降ろす動作例を説明するための図である。図６の状態Ｂに続いて、操作者は、天板４から患者Ｐを持ち上げる。圧力センサ８は、天板４にかかる圧力を繰り返し感知している。制御部１１は、例えば、圧力センサ８で感知された圧力の減少率（単位時間あたりの圧力の減少量）が閾値を超えるか否かを判定する。なお、制御部１１は、圧力センサ８で感知された圧力が閾値より小さいか否かを判定しても良い。圧力の減少率が閾値を超えたと判定した場合、制御部１１は、モーター１２を駆動させる。モーター１２の動力によりワイヤー１３−１が巻き取られ、天板支持機構３の上部から引き出された天板４は初期位置にスライドされる。天板４が寝台の上部から移動された後、操作者は、患者Ｐを寝台に降ろす。圧力の減少が閾値を超えないと判定した場合、制御部１１は、次の判定を待機する。
【００２３】
以上の動作により、ストレッチャー１に載せられた患者は寝台に載せ替えられる。
【００２４】
上記のとおり、第１実施形態に係るストレッチャー１によれば、天板４は、圧力センサ８で感知された圧力の減少が閾値を超えたことを契機に、天板支持機構３を介して、初期位置にスライドされる。すなわち、操作者は、寝台の上部に引き出した天板４から患者を持ち上げて降ろす動作により、患者をストレッチャー１から寝台に載せ替えることができる。さらに、患者を寝台に降ろした際、寝台の上部には、ストレッチャー１の構造物は残らない。かくして、第１実施形態に係るストレッチャー１は、Ｘ線画像の画質を担保しつつ、患者の寝台への載せ替え効率の向上を可能とすることができる。
【００２５】
（変形例１）
変形例１におけるストレッチャー１は、天板４を長軸方向に分割された２つの天板各々を個別にスライド可能にすることにより、Ｘ線画像の画質を担保しつつ、患者の寝台への載せ替え効率の向上を図る。
【００２６】
図８は、変形例１に係るストレッチャー１の外観図である。
【００２７】
変形例１におけるストレッチャー１の天板４は、長軸方向（ｙ軸方向）に分割された第１天板２１と第２天板２２とを有する。第１天板２１と第２天板２２とは、それぞれが上記の実施形態で説明した天板４と同様の構造を有する。具体的には、天板支持機構３は、第１天板２１をスライド可能に支持するためのスライドレール３−３と、第２天板２２をスライド可能にするためのスライドレール３−４とを有する。圧力センサ８は、第１天板２１と第２天板２２それぞれにおける患者Ｐの載置面に設置される。第１圧力センサ２３は、第１天板２１にかかる圧力を感知する。第２圧力センサ２４は、第２天板２２にかかる圧力を感知する。退避部１０は、圧力センサ８で感知された圧力の変化に基づいて、第１天板２１と第２天板２２とをそれぞれ個別に初期位置にスライド可能にする。第１退避部２５は、第１圧力センサ２３で感知された圧力の変化に基づいて、第１天板２１を初期位置にスライド可能にする。第２退避部２６は、第２圧力センサ２４で感知された圧力の変化に基づいて、第２天板２２を初期位置にスライド可能にする。
【００２８】
図９は、変形例１に係るストレッチャー１により患者Ｐの半身（上半身）を寝台に降ろす動作例を説明するための図である。操作者は、第１天板２１から患者Ｐの上半身を持ち上げる。第１圧力センサ２３は、第１天板２１にかかる圧力を感知する。制御部１１は、第１圧力センサ２３で感知された圧力の減少率が閾値を超えたと判定したことを契機に、モーター１２を駆動させる。モーター１２の動力によりワイヤー１３−１が巻き取られ、天板支持機構３の上部から引き出された第１天板２１は初期位置にスライドされる。第１天板２１が寝台の上部から移動された後、操作者は、患者Ｐの上半身を寝台に降ろす。患者Ｐの下半身も、操作者が第２天板２２を持ち上げることにより、同様に寝台に降ろすことができる。
【００２９】
上記のとおり、変形例１に係るストレッチャー１によれば、操作者は、寝台の上部に引き出した天板４の上部から患者の半身を持ち上げて降ろす動作により、患者の半身をストレッチャー１から寝台に載せ替えることができる。同様の動作により、残った患者の半身をストレッチャー１から寝台に載せ替えることができる。さらに、患者を寝台に降ろした際、寝台の上部には、ストレッチャー１の構造物は残らない。かくして、変形例１に係るストレッチャー１は、Ｘ線画像の画質を担保しつつ、患者の寝台への載せ替え効率の向上を可能とすることができる。
【００３０】
（変形例２）
変形例２におけるストレッチャー１は、背板３１をフレーム３２から分離可能にすることにより、患者の寝台への載せ替え効率の向上を図る。
【００３１】
図１０は、変形例２に係る天板４の外観図である。変形例２に係る天板４は、患者Ｐを載せるための背板３１と、２本のフレーム３２とを有する。２本のフレーム３２は、天板支持機構３の上部において対向して配置される。フレーム３２は、上記の実施形態における天板４と同様に、天板支持機構３が装備する引き出し構造によりスライドレール３−５に沿ってスライド可能である。また、フレーム３２は、２本のフレーム３２が向き合う面に、フレーム３２の長手方向に沿って溝３３が形成されている。溝３３の幅は背板３１の厚さよりも大きく設けられている。背板３１の側面縁部は溝３３に嵌まっている。また、図１０に示すように、背板３１は、長軸（ｙ軸）の両端が浮くように緩やかに湾曲した形状を有し、その両端をフレーム３２が保持している。詳細は後述するが、背板３１は、フレーム３２から分離可能である。
【００３２】
背板３１は、Ｘ線画像において略均一の濃淡で描出される。すなわち、背板３１がＸ線撮影の視野内に入ったままＸ線撮影が行われた際、背板３１がＸ線画像の画質に与える影響は少ない。背板３１は、例えば、Ｘ線を吸収しにくいカーボンファイバーなどの素材で形成される。通常は背板３１に載置された患者の重さにより背板３１はフレーム３２のうち溝３３の下方に位置する面に密着している。このため、背板３１はフレーム３２ともスライドする。
【００３３】
図１１は、図１０のフレーム３２の車輪３４周辺の拡大断面図である。２本のフレーム３２はそれぞれ、寝台の上部における天板４の移動を円滑にするための車輪３４を有する。車輪３４は、車軸３５により軸支されている。車軸３５の両端は、軸受け３６により固定されている。軸受け３６の下面はばね３７の一端に接続され、ばね３７の他端はフレーム筐体３８に固定されている。車輪３４は、フレーム筐体３８に対して上下動可能である。ロック機構３９は、軸受け３６を位置的に固定する構造体である。ロック機構３９は、ばね３７を収縮した状態で固定する。図１０に示すロック解除スイッチ４０は、ロック機構３９による軸受け３６の固定を解除するためのスイッチである。ロック解除スイッチ４０は、機械的な機構により軸受け３６の固定を解除しても良いし、電子的な機構により軸受け３６の固定を解除しても良い。例えば、ロック解除スイッチ４０は、ロック機構３９を上方に移動することによりロック機構３９による軸受け３６の固定を解除する。なお、ロック解除スイッチ４０は、２つの軸受け３６の固定を連動して解除しても良い。
【００３４】
以下、変形例２において、寝台の上部に引き出された天板４のうち、背板３１を残してフレーム３２を初期位置にスライドさせる動作例を説明する。背板３１には、患者が載置されている。図１０は、天板４が寝台の上部に引き出された状態である。
【００３５】
天板４が寝台の上部に引き出された状態において、まず、操作者は、ロック解除スイッチ４０を操作し、ロック機構３９による軸受け３６の固定を解除する。図１２は、図１１のロック機構３９による軸受け３６の固定が解除された状態を説明するための図である。軸受け３６の固定が解除されると、軸受け３６は、ばね３７によりフレーム筐体３８に対して上下動可能になる。また、背板３１も寝台に対して上下動可能になる。すなわち、背板３１は、背板３１に載置された患者の重みで沈み、寝台に接する。操作者は、フレーム３２をさらに下方へ押し込むことにより、背板３１はフレーム３２から離れ、フレーム３２の溝３３に浮いた状態になる。すなわち、背板３１はフレーム３２から分離する。操作者は、背板３１から分離されたフレーム３２を、引き出し構造を利用して手動で初期位置にスライドさせる。このとき、背板３１及びフレーム３２は、寝台の上にある。なお、フレーム３２は、退避部１０により初期位置にスライドされても良い。具体的には、ロック機構３９が解除され、かつ操作者が所定値以上の圧力でフレーム３２を下方へ押し込んだことを契機として、退避部１０は、背板３１から分離されたフレーム３２を初期位置にスライドさせる。
【００３６】
上記のとおり、変形例２に係るストレッチャー１によれば、天板４を寝台の上に移動させた後に、天板４のうち患者が載せられた背板３１を天板４本体から分離し、天板４のうち背板３１以外の構造物をＸ線撮影の視野外へ移動させることができる。すなわち、操作者は、患者を持ち上げて降ろす動作無しで、患者をストレッチャー１から寝台に載せ替えることができる。さらに、患者を寝台に降ろした際、寝台の上部にはストレッチャー１の構造物は背板３１しか残らない。背板３１はＸ線画像において略均一の背景として描出されるため、背板３１がＸ線画像の画質に与える影響は限定される。かくして、変形例２に係るストレッチャー１は、Ｘ線画像の画質を担保しつつ、患者の寝台への載せ替え効率の向上を可能とすることができる。
【００３７】
（第２実施形態）
上記の実施形態において、Ｘ線画像の画質を担保しつつ、患者の寝台への載せ替え効率の向上を可能とするストレッチャー１について説明した。しかし、上記の効果を実現するためのストレッチャー１の構造は、上記の実施形態における構造に限定されない。
【００３８】
図１３は、第２実施形態に係るストレッチャー１の外観図である。第２実施形態に係るストレッチャー１は、台車２と天板４とを有する。
【００３９】
台車２は、立脚フレーム４１と調節機構９と接続フレーム４２とを有する。立脚フレーム４１は、下部に複数の車輪を有する。接続フレーム４２は、複数の立脚フレーム４１に接続され、天板４を分離可能に支持する。なお、図１３では、立脚フレーム４１と接続フレーム４２との間に調節機構９が設けられている。調節機構９は、台車２の高さを調節するための機構である。調節機構９は、無くても良い。さらに、接続フレーム４２の上部には、天板４が設置される。台車２は、寝台の天板（以下、寝台天板と呼ぶ）が天板４の下方に入り込むことが可能な骨組み構造を有している。接続フレーム４２は、天板４の裏面が少なくとも一方の端部に亘って露出可能な構造を有する。具体的には、接続フレーム４２は天板４の裏面の周囲を覆わず、天板４の裏面の短辺部分が露出するよう切り欠かれている。２短辺が切り欠かれている必要は無く、少なくとも一方で良い。短辺部分は着脱可能に設けられても良い。
【００４０】
天板４は、接続フレーム４２の上部に分離可能に接続される。接続フレーム４２と天板４との接続は、ストレッチャー１を移動させたときにも天板４が接続フレーム４２から外れないように、凹凸の形状で係り合う程度で良い。天板４は、Ｘ線画像において均一の濃淡で描出される。すなわち、天板４がＸ線撮影の視野内に入ったままＸ線撮影が行われた際、天板４がＸ線画像の画質に与える影響は限定される。天板４は、例えば、Ｘ線を吸収しにくいカーボンファイバーなどの素材を有する。
【００４１】
ここで、説明を具体的にするため、寝台天板は、図５に示す寝台天板であるとする。具体的には、例えば、寝台天板は、寝台天板の背面中央よりも長軸方向のいずれかに片寄った範囲に支柱（図示せず）を持つ、アンギオ装置の寝台天板であるとする。接続フレーム４２は、図１３に示すように、接続フレーム４２の短軸のうち抜けている一部分の長さＬ２が寝台天板の短軸の長さＬ１よりも長くなるように設計される。
【００４２】
以下、第２実施形態において、患者をストレッチャー１から寝台天板に載せ替える動作例を説明する。まず、操作者は、寝台天板のうち支柱がない方の一端を、寝台天板の回転機構などを操作することにより、ストレッチャー１の方向に向ける。操作者は、寝台天板が天板４の下に入り込めるように、ストレッチャー１と寝台天板とそれぞれの高さを調節する。操作者は、ストレッチャー１全体を移動させ、天板４が寝台の上方に位置するようにする。
【００４３】
図１４は、天板４がストレッチャー１本体から分離する動作例を説明するための図である。操作者は、寝台天板を上昇、或いはストレッチャー１を下降させることにより、天板４の下面と寝台天板の上面とを密着させる。さらに、操作者は、寝台を上昇、或いはストレッチャー１を下降させることにより、天板４はストレッチャー１本体から分離する。その後、操作者は、ストレッチャー１本体をＸ線撮影の邪魔にならない位置に退避させる。
【００４４】
上記のとおり、第２実施形態に係るストレッチャー１によれば、天板４は、ストレッチャー１から分離可能な構造を有する。操作者は、寝台天板を天板４の下に入り込ませ天板４或いは寝台天板の高さ調節を行うことで、患者が載せられた天板４を寝台天板の上に載せることができる。すなわち、操作者は、患者を持ち上げて降ろす動作無しで、患者をストレッチャー１から寝台に載せ替えることができる。さらに、患者を寝台に降ろした際、寝台の上部にはストレッチャー１の構造物は天板４しか残らない。天板４はＸ線画像において均一の背景として描出されるため、天板４がＸ線画像の画質に与える影響は限定される。かくして、第２実施形態に係るストレッチャー１は、Ｘ線画像の画質を担保しつつ、患者の寝台への載せ替え効率の向上を可能とすることができる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００４６】
１…ストレッチャー、２…台車、３…天板支持機構、４…天板、５…車輪、６…天板固定機構、７…ボタン、８…圧力センサ、９…調節機構、１０…退避部、１１…制御部、１２…退避機構駆動部、１３…退避機構、２１…第１天板、２２…第２天板、２３…第１圧力センサ、２４…第２圧力センサ、２５…第１退避部、２６…第２退避部、３１…背板、３２…フレーム、３３…溝、３４…車輪、３５…車軸、３６…軸受け、３７…ばね、３８…フレーム筐体、３９…ロック機構、４０…ロック解除スイッチ、４１…立脚フレーム、４２…接続フレーム
【図１】
2015130925.tif 000003
【図２】
2015130925.tif 000004
【図３】
2015130925.tif 000005
【図４】
2015130925.tif 000006
【図５】
2015130925.tif 000007
【図６】
2015130925.tif 000008
【図７】
2015130925.tif 000009
【図８】
2015130925.tif 000010
【図９】
2015130925.tif 000011
【図１０】
2015130925.tif 000012
【図１１】
2015130925.tif 000013
【図１２】
2015130925.tif 000014
【図１３】
2015130925.tif 000015
【図１４】
2015130925.tif 000016